(57)【要約】【課題】両開き戸の召合せ部において、扉体の戸先側部位を形成する表面材の変形を防止する。【解決手段】第１扉体２の第１表面材４は、室内側面部２０を形成する室内側見付面４０と、戸先側端面２２を形成する戸先側見込片４１と、凹み部２２０を形成する室外側折り返し見付片４２と、を備え、室外側折り返し見付片４２の内面にはいかなる補強要素も面接触しておらず、室外側折り返し見付片４２は、先端側部位を室外側に折り曲げて形成してなる傾斜片４２０を有し、傾斜片４２０の先端は、第１扉体２の戸先側に内蔵した被当接要素に近接ないし接触している。【選択図】図７
2018017053.tif 000002
【特許請求の範囲】
【請求項１】
第１扉体は、第１面部と、第２面部と、戸先側端面と、を備え、第２面部の戸先側部位は凹み部となっており、
第２扉体は、第１面部と、第２面部と、戸先側端面と、を備え、第２面部の戸先側部位は、戸先側端面を越えて突出する突片となっており、
前記第１扉体の前記戸先側端面及び前記凹み部と、前記第２扉体の前記戸先側端面及び前記突片と、から両開き戸の召合せ部が形成されており、
前記第１扉体の第１表面材は、前記第１面部を形成する第１面側見付面と、前記戸先側端面を形成する戸先側見込片と、前記凹み部を形成する第２面側折り返し見付片と、を備え、
前記第２面側折り返し見付片の内面にはいかなる補強要素も面接触しておらず、
前記第２面側折り返し見付片の先端側部位は、当該先端側部位を第１面側に折り曲げ形成してなる折り曲げ片となっており、
前記折り曲げ片の先端は、前記第１扉体の戸先側に内蔵した被当接要素に近接ないし接触している、
両開き戸の扉体構造。
【請求項２】
前記第１扉体は錠前を備えており、
前記被当接要素は、前記錠前の取付要素あるいは錠前の部分である、
請求項１に記載の両開き戸の扉体構造。
【請求項３】
前記第１扉体の戸先側には縦フレームが内蔵されており、前記縦フレームは、前記第２面側折り返し見付片に面接触する部分を備えておらず、
前記被当接要素は、前記縦フレームの部分である、
請求項１に記載の両開き戸の扉体構造。
【発明の詳細な説明】
【技術分野】
【０００１】
本発明は、両開き戸の扉体構造に関するものである。
【背景技術】
【０００２】
両開き戸の召合せ部において、一方の扉体の戸先側部位の室外側には見付方向に延びる突片が形成され、他方の扉体の戸先側部位の室外側には、両開き戸の閉鎖姿勢において、前記突片が位置する凹み部が形成される（特許文献１の図１０参照）。
【０００３】
扉体の外面は、表裏の表面材を貼り合せて形成されるが、上記の通り両開き戸の扉体の戸先側部位の形状は一般的な扉体の戸先側部位の形状に比べて複雑であることから、扉体の製作上、表面材における扉体の戸先側部位を形成する部分の内面全体に当接して補強するようにフレーム（骨材）を設けることが困難な場合が多い。
【０００４】
扉体の外面は、比較的薄肉の表面材を折り曲げて形成されており、特に、室内側見付面を形成する表面材の戸先側を折り曲げて戸先側見込面を形成し、さらに折り曲げて上記戸先側かつ室外側の凹み部が形成される場合には、当該凹み部が１枚の表面材の端部から形成されるため、凹み部に所定以上の押圧力が作用すると、凹み部を形成する表面材が変形してしまうおそれがある。さらに、この表面材から形成される戸先側見込面には、錠前ないしストライク、またはフランス落としを取り付けるための切り欠きが形成されるため、切り欠きが形成されている高さ位置の凹み部は、さらに押圧力に対抗する強度が低くなっており、より変形し易いおそれがある。
【特許文献１】特許第５７２９９３１号
【発明の開示】
【発明が解決しようとする課題】
【０００５】
本発明は、両開き戸の召合せ部において、扉体の戸先側部位を形成する表面材の変形を防止する扉体構造を提供することを目的とする。
【課題を解決するための手段】
【０００６】
かかる課題を解決するべく本発明が採用した技術手段は、
第１扉体は、第１面部と、第２面部と、戸先側端面と、を備え、第２面部の戸先側部位は凹み部となっており、
第２扉体は、第１面部と、第２面部と、戸先側端面と、を備え、第２面部の戸先側部位は、戸先側端面を越えて突出する突片となっており、
前記第１扉体の前記戸先側端面及び前記凹み部と、前記第２扉体の前記戸先側端面及び前記突片と、から両開き戸の召合せ部が形成されており、
前記第１扉体の第１表面材は、前記第１面部を形成する第１面側見付面と、前記戸先側端面を形成する戸先側見込片と、前記凹み部を形成する第２面側折り返し見付片と、を備え、
前記第２面側折り返し見付片の内面にはいかなる補強要素も面接触しておらず、
前記第２面側折り返し見付片の先端側部位は、当該先端側部位を第１面側に折り曲げ形成してなる折り曲げ片となっており、
前記折り曲げ片の先端は、前記第１扉体の戸先側に内蔵した被当接要素に近接ないし接触している、
両開き戸の扉体構造、である。
１つの態様では、前記折り曲げ片は、第２面側折り返し見付片に対して一定の角度で延びる傾斜片であるが、傾斜片は湾曲片であっても、多段に折り曲げられた傾斜片であってもよい。
【０００７】
１つの態様では、前記第１扉体は錠前を備えており、
前記被当接要素は、前記錠前の取付要素あるいは錠前の部分である。
１つの態様では、前記第１扉体はストライク、あるいは／および、フランス落としを備えており、
前記被当接要素は、前記ストライクの取付要素あるいはストライクの部分、あるいは／および、フランス落としの取付要素あるいはフランス落としの部分である。
【０００８】
１つの態様では、前記第１扉体の戸先側には縦フレームが内蔵されており、前記縦フレームは、前記第２面側折り返し見付片に面接触する部分を備えておらず、
前記被当接要素は、前記縦フレームの部分である。
【０００９】
１つの態様では、前記第１扉体の戸先側には縦フレームが内蔵されており、前記縦フレームは、第１面部の一部、第２面部の一部、戸先側端面の一部に面接触する部位を有する一方、前記第２面側折り返し見付片には面接触していない。
１つの態様では、前記第１扉体の第２表面材は、前記第２面部を形成する第２面側見付面（後述する実施形態では、室外側見付面５０）と、前記凹み部の段差を形成する戸先側見込片と、前記第１表面材の前記第２面側折り返し見付片の先端側部位に当接する戸先側折り返し片と、を備え、前記折り曲げ片は、前記戸先側折り返し片から離間するように延びている。
【発明の効果】
【００１０】
本発明では、第１扉体の第１表面材の端部（折曲加工前の板材の周縁領域）から形成され、内面にはいかなる補強要素も面接触していない第２面側折り返し見付片の先端側部位を第１面側に折り曲げ加工して折り曲げ片を形成したことで、第２面側折り返し見付片の強度が向上され、第２面側折り返し見付片が押圧された時に、より変形し難くなっている。
より大きな力で第２面側折り返し見付片が押圧された場合や第１扉体の第１表面材の戸先側見込片に形成した切欠き部によって第２面側折り返し見付片の強度が弱くなっている場合であっても、第２面側折り返し見付片が押されて僅かに変形した時に、折り曲げ片の先端が被当接要素（錠前の取付要素あるいは錠前の部分、第１扉体の戸先側に内蔵した縦フレームの部分等）に当接することで、第２面側折り返し見付片の変形が抑えられる。
【図面の簡単な説明】
【００１１】
【図１】第１実施形態に係る両開き戸（全閉姿勢）を室内側から見た正面図である。
【図２】図１に示す両開き戸の第１扉体における縦断面図である。
【図３】図１に示す両開き戸の横断面図である。
【図４】図３における召し合わせ部の拡大図である。
【図５】図１における第１扉体を示す図であり、左図は戸先側端面を示す側面図、右図は室内側正面図である。
【図６】図５に示す第１扉体において錠前を取り外した状態における、戸先側部位の（Ａ）断面図、（Ｂ）側面図、（Ｃ）正面図、である。
【図７】第１扉体の室外側面部の戸先側部位が押された状態を示す横断面図である。
【図８】第２実施形態に係る両開き戸（全閉姿勢）を室外側から見た正面図である。
【図９】図８に示す両開き戸の第１扉体における縦断面図である。
【図１０】図８に示す両開き戸の横断面図である。
【図１１】図１０における召し合わせ部の拡大図である。
【図１２】図８における第１扉体を示す図であり、左図は室内側正面図、右図は戸先側端面を示す側面図である。
【図１３】図１２におけるストライクの取り付けを説明する図である。
【図１４】図１２におけるフランス落としの取り付けを説明する図である。
【発明を実施するための形態】
【００１２】
図１〜図７を参照しつつ、第１実施形態に係る両開き戸について説明する。図１に示すように、ドア枠１は、第１縦枠１０と、第２縦枠１１と、上枠１２と、下枠１３と、からなり、内部に縦長方形状の建物開口部が形成されている。両開き戸は、第１扉体２と、第２扉体３と、からなり、第１扉体２及び第２扉体３によって建物開口部を開閉するようになっている。第１扉体２の戸先側は、第１縦枠１０にヒンジＨを介して回動可能に連結されており、第２扉体３の戸先側は、第２縦枠１１にヒンジＨを介して回動可能に連結されている。第１実施形態に係る両開き戸は内開き戸であって、閉鎖姿勢にある第１扉体２及び第２扉体３は共に室内側に開放されるようになっている。通常時には、第１扉体２を主扉として用いて建物開口部の開閉するようになっており、第２扉体３は閉鎖姿勢となっている。図示の態様では、第１扉体２は第２扉体３に対して幅広となっているが、これに限定されるものではない。
【００１３】
第１扉体２は、正面視縦長方形状であり、室内側面部２０、室外側面部２１、戸先側端面２２、戸尻側端面２３、上端面２４、下端面２５を備えており、これらの面は金属製板材からなる第１表面材４及び第２表面材５によって形成されている。第１扉体２は、所定形状に成形された第１表面材４及び第２表面材５を、内部充填材（例えば、ペーパコア）Ｃに接着することで形成されている。第１扉体２の戸先側には、骨材としての縦フレーム６が内蔵されている。なお、ピボットヒンジを採用する場合には、上下にフレームを内蔵させてもよく、また、扉体四周にフレームを内蔵させてもよい。
【００１４】
第１扉体２の戸先側には錠前１４が内蔵されており、戸先側端面２２に面一に設けた前面プレート１４０からラッチボルト１４１、デッドボルト１４２が突出可能となっている。デッドボルト１４２は、室内側面部２０の戸先側に設けたサムターン１４３の施錠操作ないし室外側面部２１の戸先側に設けた鍵孔（図示せず）に鍵を差し込んでの施錠操作によって戸先側端面２２から突出し、サムターン１４３の解錠操作ないし鍵の解錠操作によって戸先側端面２２から扉内部に退避する。ラッチボルト１４１は、戸先側端面２２から突出する方向に付勢されており、室内側面部２０及び室外側面部２１の戸先側に設けた取っ手２６の回動操作によって戸先側端面２２から扉内部に退避させて、第１扉体２を室内側に回動させることで建物開口部を開放する。開放した第１扉体２はドアクローザ２７によって閉鎖姿勢へ回動復帰する。
【００１５】
第２扉体３は、正面視縦長方形状であり、室内側面部３０、室外側面部３１、戸先側端面３２、戸尻側端面３３、上端面、下端面を備えており、これらの面は金属製板材からなる第１表面材７及び第２表面材８によって形成されている。第２扉体３は、所定形状に成形された第１表面材７と第２表面材８を、内部充填材（例えば、ペーパコア）Ｃに接着することで形成されている。第２扉体３の戸先側には、骨材としての縦フレーム９が内蔵されている。なお、ピボットヒンジを採用する場合には、上下にフレームを内蔵させてもよく、また、扉体四周にフレームを内蔵させてもよい。
【００１６】
第２扉体３の戸先側には上下に位置してフランス落とし（第１実施形態では図示せず）が内蔵されており、第２扉体３の上下から突出する係止ロッド（図示せず）が上枠１２、下枠１３に設けた受け孔（図示せず）に係止することで閉鎖姿勢が維持される。第２扉体３の戸先側端面３２には、所定高さに位置して、第１扉体２の錠前１４のラッチボルト１４１、デッドボルト１４２を受け入れるストライク（第１実施形態では図示せず）が設けてある。
【００１７】
第１扉体２の戸先側部位には、室外側に位置して凹み部２２０が形成されている。凹み部２２０は、平面視において、室外側面部２１に対して室内側へ偏倚している。第２扉体３の戸先側部位には、室外側に位置して、戸先側端面３２から見付方向に突出する突片３２０が形成されている。全閉姿勢にある両開き戸において、第１扉体２の戸先側部位と第２扉体３の戸先側部位の召合せ部において、突片３２０の先端側部位が凹み部２２０の戸先側部位に重なるように位置する。
【００１８】
第１表面材４は、主として、第１扉体２の室内側部位を覆う部材であり、第１扉体２の室内側面部２０を形成する室内側見付面４０を有している。図４には、第１表面材４の戸先側の詳細が示してあり、室内側見付面４０の戸先側端縁から、室内側見付面４０に対して垂直状に室外側に向かって延び、第１扉体２の戸先側端面２２を形成する戸先側見込片４１と、戸先側見込片４１の端部から戸先側見込片４１に対して垂直状（室内側見付面４０に対向して平行状）に戸尻側に延び、第１扉体２の戸先側部位の室外側を形成する室外側折り返し見付片４２と、を備えている。室外側折り返し見付片４２は、第１表面材４の端部から形成されており、先端は自由端となっている。室外側折り返し見付片４２は、基端側が戸先側見込片４１の室外側端部に支持され、先端側が自由端の片持ち状の片である。室外側折り返し見付片４２の先端側には、室内側に向かって傾斜状に延びる傾斜片４２０が一体形成されている。図示の態様では、室外側折り返し見付片４２の先端側を折り曲げ形成してなる傾斜片４２０の曲げ角度は１３５度である。なお、この曲げ角度は一つの好ましい例示に過ぎないものであり、他の角度（例えば、１０度〜１７０度の間から選択される）であってもよい。
【００１９】
第１表面材４は、さらに、室内側見付面４０の戸尻側端縁から室内側見付面４０に対して室外側に向かって垂直状に延びる戸尻側見込片４３、室内側見付面４０の上端から室内側見付面４０に対して垂直状に延びる上片４４、室内側見付面４０の下端から室内側見付面４０に対して垂直状に延びる下片４５、を有している。戸尻側見込片４３、上片４４、下片４５は、それぞれ密着するように折り返されて二重となっている。
【００２０】
第１表面材４、具体的には、室内側見付面４０、戸先側見込片４１、室外側折り返し見付片４２（傾斜片４２０を含む）、戸尻側見込片４３、上片４４、下片４５は、所定形状の比較的薄肉の金属製板材を折曲成形することで得られる。
【００２１】
第２表面材５は、主として、第１扉体２の室外側部位を覆う部材であり、第１扉体２の室外側面部２１を形成する室外側見付面５０を有している。図４には、第２表面材５の戸先側の詳細が示してあり、室外側見付面５０の戸先側端縁から室外側見付面５０に対して垂直状に室内側に向かって延びる戸先側見込片５１と、戸先側見込片５１の端部から戸先側見込片５１に対して垂直状（室外側見付面５０に対して平行状）に戸尻側に延びる戸先側折り返し片５２と、を備えている。
【００２２】
第２表面材５は、さらに、室外側見付面５０の戸尻側端縁から室外側見付面５０に対して室内側に向かって垂直状に延びる戸尻側見込片５３、室外側見付面５０の上端から室外側見付面５０に対して垂直状に延びる上片５４、室外側見付面５０の上端から室外側見付面５０に対して垂直状に延びる下片５５、を有している。戸尻側見込片５３、上片５４、下片５５の端部には、それぞれ断面視Ｌ形状の折曲片５３０、５４０、５５０が形成されている。
【００２３】
第２表面材５、具体的には、室外側見付面５０、戸先側見込片５１、戸先側折り返し片５２、戸尻側見込片５３、上片５４、下片５５、折曲片５３０、５４０、５５０は、所定形状の比較的薄肉の金属製板材を折曲成形することで得られる。
【００２４】
第１扉体２の戸先側部位に内蔵された縦フレーム６は、第１扉体２の高さ方向に延びる長尺部材であって、断面視において、第１扉体２の戸先側端面２２から離間して第１扉体２の全厚に亘って延びる第１見込片６０と、第１見込片６０の室内側端部から戸先側端面２２に向かって戸先側に延びる室内側見付片６１と、室内側見付片６１の端部から戸先側端面２２に沿って室外側に向かって延びる第２見込片６２と、第１見込片６０の室外側端部から戸先側に延びる室外側見付片６３と、からなる。
【００２５】
第１表面材４及び第２表面材５を内部充填材Ｃ、縦フレーム６に接着して第１扉体２を組み立てた状態では、第１扉体２の戸先側部位において、第１表面材４の室外側折り返し見付片４２の先端側部位の外面には、第２表面材５の戸先側折り返し片５２が当接しており、第１表面材４の室外側折り返し見付片４２の先端側の傾斜片４２０は、第２表面材５の戸先側折り返し片５２の先端側の余端部（室外側折り返し見付片４２と当接していない部位）から離間するように傾斜状に延びている。室外側折り返し見付片４２と戸先側見込片５１とから平面視段状の凹み部２２０が形成されており、室外側折り返し見付片４２は、室外側見付面５０（室外側面部２１）に対して室内側に偏倚している。
【００２６】
縦フレーム６の第１見込片６０は、第１表面材４の室外側折り返し見付片４２（傾斜片４２０）の先端、及び、第２表面材５の戸先側折り返し片５２の先端よりも戸尻側に位置して、第１表面材４の室内側見付面４０と第２表面材５の室外側見付面５０間に延びている。縦フレーム６の室内側見付片６１は、第１表面材４の室内側見付面４０の戸先側部位の内面に当接（面接触）している。縦フレーム６の第２見込片６２は、第１表面材４の戸先側見込片４１の室内側部位の内面に当接（面接触）しているが、第１表面材４の戸先側見込片４１の残りの部位及び室外側折り返し見付片４２の内面には縦フレーム６は当接（面接触）しておらず、また、いかなる補強要素も当接（面接触）していない。縦フレーム６の室外側見付片６３は、第２表面材５の室外側見付面５０の戸先側部位の内面に当接（面接触）している。縦フレーム６の室外側見付片６３は、第２表面材５の室外側見付面５０、戸先側見込片５１、戸先側折り返し片５２で形成される溝内に位置しているが、図示の態様では、戸先側見込片５１、戸先側折り返し片５２とは離間しており当接していない。
【００２７】
第１扉体２の戸尻側部位において、第２表面材５の戸尻側見込片５３の外側に第１表面材４の戸尻側見込片４３が当接しており、折曲片５３０の一部が第１表面材４の室内側見付面４０の戸尻側部位の内面に当接している。第１扉体２の上側部位において、第２表面材５の上片５４の上側に第１表面材４の上片４４が当接してリベットＲで止着されており、折曲片５４０の一部が第１表面材４の室内側見付面４０の上側部位の内面に当接している。第１扉体２の下側部位において、第２表面材５の下辺５５の下側に第１表面材４の下辺４５が当接してリベットＲで止着されており、折曲片５５０の一部が第１表面材４の室内側見付面４０の下側部位の内面に当接している。
【００２８】
第１表面材７は、主として、第２扉体３の室内側部位を覆う部材であり、第２扉体３の室内側面部３０を形成する室内側見付面７０を有している。図４には、第２表面材７の戸先側の詳細が示してあり、室内側見付面７０の戸先側端縁から、室内側見付面７０に対して垂直状に室外側に向かって延び、第２扉体３の戸先側端面３２を形成する戸先側見込片７１と、戸先側見込片７１の端部から戸先側見込片７１に対して垂直状（室内側見付面７０に対向して平行状）に戸尻側へ延びる戸先側折り返し片７２と、を備えている。
【００２９】
第１表面材７の室内側見付面７０の戸尻側、上側、下側には、室内側見付面７０に対して垂直状に延びる戸尻側見込片、上片、下片がそれぞれ形成されているが、第１表面材４と類似の構成であり、また、このような構成は当業者に良く知られているので詳細な説明は省略する。
【００３０】
第２表面材８は、主として、第２扉体３の室外側部位を覆う部材であり、第２扉体３の室外側面部３１を形成する室外側見付面８０を有している。図４には、第２表面材８の戸先側の詳細が示してあり、室外側見付面８０の戸先側端縁から室外側見付面８０に対して垂直状に室内側に向かって延びる戸先側見込片８１と、戸先側見込片８１の端部から戸先側見込片８１に対して垂直状（室外側見付面８０に対して平行状）に戸尻側に延びる戸先側折り返し片８２と、を備えている。
【００３１】
第２表面材８の室外側見付面８０の戸尻側、上側、下側には、室外側見付面８０に対して垂直状に延びる戸尻側見込片、上片、下片がそれぞれ形成されているが、第２表面材５と類似の構成であり、また、このような構成は当業者に良く知られているので詳細な説明は省略する。
【００３２】
第２扉体３の戸先側部位に内蔵された縦フレーム９は、第２扉体３の高さ方向に延びる長尺部材であって、断面視において、第２扉体３の戸先側端面３２から離間して第２扉体３の全厚に亘って延びる見込片９０と、見込片９０の室内側端部から戸先側端面３２に向かって戸先側に延びる室内側見付片９１と、見込片９０の室外側端部から戸先側に向かって延びる室外側見付片９２と、からなる。
【００３３】
第１表面材７及び第２表面材８を内部充填材Ｃ、縦フレーム９に接着して第２扉体３を組み立てた状態では、第２扉体３の戸先側部位において、第１表面材７の戸先側折り返し片７２の外側には、第２表面材８の戸先側折り返し片８２の先端側部位（戸尻側部位）が当接している。縦フレーム９の室外側見付片９２の先端側は、室外側見付面８０の戸先側部位、戸先側見込片８１、戸先側折り返し片８２、で形成された溝内を延びており、室外側見付面８０の戸先側部位、戸先側見込片８１、戸先側折り返し片８２、室外側見付片９２から突片３２０が形成されている。
【００３４】
図４に示すように、閉鎖姿勢にある両開き戸の召合せ部において、第１扉体２の戸先側端面２２（第１表面材４の戸先側見込片４１）と第２扉体３の戸先側端面３２（第１表面材７の戸先側見込片７１）は隙間を存して離間対向しており、召合せ部の室外側部位において、突片３２０によって、前記隙間が塞がれており、突片３２０の先端側は、凹み部２２０を形成する室外側折り返し見付片４２に離間（近接）対向している。第１扉体２の第２表面材５の戸先側見込片５１と第２扉体３の第２表面材８の戸先側見込片８１は隙間を存して離間対向している。
【００３５】
図６に示すように、第１表面材４の戸先側見込片４１、縦フレーム６の第１見込片６０の所定部位には、錠前１４を受け入れるための切欠き部４１０が形成されており、切欠き部４１０の上下端部には、錠前１４を取り付けるための取付片１５が設けてある。取付片１５は、水平片１５０と、水平片１５０の後端の後側垂直片１５１と、水平片１５０の前端の前側垂直片１５２と、からなり、後側垂直片１５１が縦フレーム６の第１見込片６０に固定されている。切り欠き部４１０の上下の取付片１５の各前側垂直片１５２に対して、錠前１４の前面プレート１４０が螺子を介して取り付けられる。錠前１４の本体の大部分は、縦フレーム６の第１見込片６０よりも戸尻側に位置している。縦フレーム６の第１見込片６０の戸尻側に隣接して錠前１４の本体の収容部１４４が設けてある。
【００３６】
図６（Ａ）、（Ｂ）に示すように、通常時において、室外側折り返し見付片４２の先端は、取付片１５（水平片１５０）の室外側の側面に近接している。この状態において、室外側折り返し見付片４２が押された場合には、先端側の折り曲げによって補強された室外側折り返し見付片４２は従来に比べて強度が増しており、室外側折り返し見付片４２の変形が抑制されている。さらに室外側折り返し見付片４２が押されて室内側に僅かに変形した時には、室外側折り返し見付片４２の先端側に一体形成された傾斜片４２０の先端が取付片１５の室外側側面に当接することで、室外側折り返し見付片４２の変形が規制される（図７参照）。特に、切欠き部４１０が形成された付近は強度が弱くなっており、室外側折り返し見付片４２が変形し易いが、切欠き部４１０には取付片１５が位置しているので、室外側折り返し見付片４２が押されて僅かに変形した時には、室外側折り返し見付片４２の先端側に一体形成された傾斜片４２０の先端が取付片１５の室外側の側面に当接することで、室外側折り返し見付片４２の変形を防止している。
【００３７】
図８〜図１４を参照しつつ、第２実施形態に係る両開き戸について説明する。図８に示すように、ドア枠１は、第１縦枠１０と、第２縦枠１１と、上枠１２と、下枠１３と、からなり、内部に縦長方形状の建物開口部が形成されている。両開き戸は、第１扉体２と、第２扉体３と、からなり、第１扉体２及び第２扉体３によって建物開口部を開閉するようになっている。第１扉体２の戸先側は、第１縦枠１０にヒンジＨを介して回動可能に連結されており、第２扉体３の戸先側は、第２縦枠１１にヒンジＨを介して回動可能に連結されている。第２実施形態に係る両開き戸は外開き戸であって、閉鎖姿勢にある第１扉体２及び第２扉体３は共に室外側に開放されるようになっている。通常時には、第２扉体３を主扉として用いて建物開口部の開閉するようになっており、第１扉体２は閉鎖姿勢となっている。図示の態様では、第１扉体２と第２扉体３は同幅となっているが、これに限定されるものではない。
【００３８】
第１扉体２は、正面視縦長方形状であり、室内側面部２０、室外側面部２１、戸先側端面２２、戸尻側端面２３、上端面２４、下端面２５を備えており、これらの面は金属製板材からなる第１表面材４及び第２表面材５によって形成されている。第１扉体２は、所定形状に成形された第１表面材４及び第２表面材５を、内部充填材（例えば、ペーパコア）Ｃに接着することで形成されている。第１扉体２の戸先側には、骨材としての縦フレーム６´が内蔵されている。なお、ピボットヒンジを採用する場合には、上下にフレームを内蔵させてもよく、また、扉体四周にフレームを内蔵させてもよい。第１扉体２の戸先側にはストライク１７が設けられ、また、上下に位置してフランス落とし１８が内蔵されている（図１２参照）。
【００３９】
第２扉体３は、正面視縦長方形状であり、室内側面部３０、室外側面部３１、戸先側端面３２、戸尻側端面３３、上端面、下端面を備えており、これらの面は金属製板材からなる第１表面材７及び第２表面材８によって形成されている。第２扉体３は、所定形状に成形された第１表面材７と第２表面材８を、内部充填材（例えば、ペーパコア）Ｃに接着することで形成されている。第２扉体３の戸先側には、骨材としての縦フレーム９´が内蔵されている。なお、ピボットヒンジを採用する場合には、上下にフレームを内蔵させてもよく、また、扉体四周にフレームを内蔵させてもよい。第２扉体３の戸先側には錠前（図示せず）が内蔵されている。図８では、第２扉体３の室外側面部３１の戸先側に設けた取っ手３６、鍵孔１４５が図示されている。
【００４０】
第１扉体２の戸先側部位には、室外側に位置して凹み部２２０が形成されている。凹み部２２０は、平面視において、室外側面部２１に対して室内側へ偏倚している。第２扉体３の戸先側部位には、室外側に位置して、戸先側端面３２から見付方向に突出する突片３２０が形成されている。全閉姿勢にある両開き戸において、第１扉体２の戸先側部位と第２扉体３の戸先側部位の召合せ部において、突片３２０の先端側部位が凹み部２２０の戸先側部位に重なるように位置する。
【００４１】
第１表面材４は、主として、第１扉体２の室内側部位を覆う部材であり、第１扉体２の室内側面部２０を形成する室内側見付面４０を有している。図１１には、第１表面材４の戸先側の詳細が示してあり、室内側見付面４０の戸先側端縁から、室内側見付面４０に対して垂直状に室外側に向かって延び、第１扉体２の戸先側端面２２を形成する戸先側見込片４１と、戸先側見込片４１の端部から戸先側見込片４１に対して垂直状（室内側見付面４０に対向して平行状）に戸尻側に延び、第１扉体２の戸先側部位の室外側を形成する室外側折り返し見付片４２と、を備えている。室外側折り返し見付片４２は、第１表面材４の端部から形成されており、先端は自由端となっている。室外側折り返し見付片４２は、基端側が戸先側見込片４１の室外側端部に支持され、先端側が自由端の片持ち状の片である。室外側折り返し見付片４２の先端側には、室内側に向かって傾斜状に延びる傾斜片４２０が一体形成されている。図示の態様では、室外側折り返し見付片４２の先端側を折り曲げ形成してなる傾斜片４２０の曲げ角度は１３５度である。なお、この曲げ角度は一つの好ましい例示に過ぎないものであり、他の角度（例えば、１０度〜１７０度の間から選択される）であってもよい。
【００４２】
第１表面材４は、さらに、室内側見付面４０の戸尻側端縁から室内側見付面４０に対して垂直状に延びる戸尻側見込片４３、室内側見付面４０の上端から室内側見付面４０に対して垂直状に延びる上片４４、室内側見付面４０の上端から室内側見付面４０に対して垂直状に延びる下片４５、を有している。戸尻側見込片４３、上片４４、下片４５の端部には、それぞれ断面視Ｌ形状の折曲片４３０、４４０、４５０が形成されている。
【００４３】
第１表面材４、具体的には、室内側見付面４０、戸先側見込片４１、室外側折り返し見付片４２（傾斜片４２０を含む）、戸尻側見込片４３、上片４４、下片４５、折曲片４３０、４４０、４５０は、所定形状の比較的薄肉の金属製板材を折曲成形することで得られる。
【００４４】
第２表面材５は、主として、第１扉体２の室外側部位を覆う部材であり、第１扉体２の室外側面部２１を形成する室外側見付面５０を有している。図１１には、第２表面材５の戸先側の詳細が示してあり、室外側見付面５０の戸先側端縁から室外側見付面５０に対して垂直状に室内側に向かって延びる戸先側見込片５１と、戸先側見込片５１の端部から戸先側見込片５１に対して戸尻側に垂直状（室外側見付面５０に対して平行状）に延びる戸先側折り返し片５２と、を備えている。
【００４５】
第２表面材５は、さらに、室外側見付面５０の戸尻側端縁から室外側見付面５０に対して垂直状に延びる戸尻側見込片５３、室外側見付面５０の上端から室外側見付面５０に対して垂直状に延びる上片５４、室外側見付面５０の上端から室外側見付面５０に対して垂直状に延びる下片５５、を有している。戸尻側見込片５３、上片５４、下片５５は、それぞれ密着するように折り返されて二重となっている。
【００４６】
第２表面材５、具体的には、室外側見付面５０、戸先側見込片５１、戸先側折り返し片５２、戸尻側見込片５３、上片５４、下片５５は、所定形状の比較的薄肉の金属製板材を折曲成形することで得られる。
【００４７】
第１扉体２の戸先側部位に内蔵された縦フレーム６´は、第１扉体２の高さ方向に延びる長尺部材であって、断面視において、第１扉体２の戸先側端面２２の内面に沿って延びる第１見込片６０´と、第１見込片６０´の室内側端部から室内側面部２０の内面に沿って戸尻側に延びる室内側見付片６１´と、第１見込片６０´の室外側端部から戸尻側に延びる室外側見付片６２´と、室外側見付片６２´の端部から室外側に向かって延びる第２見込片６３´と、第２見込片６３´の室外側端部から戸先側に延びる室外側折り返し片６４´と、からなる。
【００４８】
第１表面材４及び第２表面材５を内部充填材Ｃ、縦フレーム６´に接着して第１扉体２を組み立てた状態では、第１扉体２の戸先側部位において、第１表面材４の室外側折り返し見付片４２の先端側部位の外側には、第２表面材５の戸先側折り返し片５２が当接しており、第１表面材４の傾斜片４２０は、第２表面材５の戸先側折り返し片５２の先端側の余端部（室外側折り返し見付片４２と当接していない部位）から離間するように傾斜状に延びている。室外側折り返し見付片４２と戸先側見込片５１とから平面視段状の凹み部２２０が形成されており、室外側折り返し見付片４２は、室外側見付面５０（室外側面部２１）に対して室内側に偏倚している。
【００４９】
第１表面材４の戸先側見込片４１の内面に当接（面接触）する縦フレーム６´の第１見込片６０´の室内側端部は第１表面材４の室内側見付面４０まで達しており、室内側見付片６１´は、第１表面材４の室内側見付面４０の戸先側部位の内面に当接（面接触）している。第１見込片６０´の室外側端部は第１表面材４の戸先側見込片４１の室外側端部までは達しておらず、縦フレーム６´の室外側見付片６２´は、第１表面材４の室外側折り返し見付片４２に平行して見付方向に延びている。第１表面材４の室外側折り返し見付片４２の先端側に折り曲げ形成した傾斜片４２０の先端は、縦フレーム６´の室外側見付片６２´に近接している。第１表面材４の室外側折り返し見付片４２の内面には縦フレーム６´は当接（面接触）しておらず、また、いかなる補強要素も当接（面接触）していない。縦フレーム６´の第２見込片６３´は、第１表面材４の傾斜片４２０の先端及び第２表面材５の戸先側折り返し片５２の先端よりも戸尻側に位置しており、縦フレーム６´の室外側折り返し片６４´は、第２表面材５の室外側見付面５０の戸先側部位の内面に面接触している。縦フレーム６´の室外側折り返し片６４´は、第２表面材５の室外側見付面５０、戸先側見込片５１、戸先側折り返し片５２で形成される溝内に位置しているが、図示の態様では、戸先側見込片５１、戸先側折り返し片５２とは離間しており当接していない。
【００５０】
第１扉体２の戸尻側部位において、第１表面材４の戸尻側見込片４３の外側に第２表面材５の戸尻側見込片５３が当接しており、折曲片４３０の一部が第２表面材５の室内側見付面５０の戸尻側部位の内面に当接している。第１扉体２の上側部位において、第１表面材４の上片４４の上側に第２表面材５の上片５４が当接してリベットＲで止着されており、折曲片４４０の一部が第２表面材５の室内側見付面５０の上側部位の内面に当接している。第１扉体２の下側部位において、第１表面材４の下辺４５の下側に第２表面材５の下辺５５が当接してリベットＲで止着されており、折曲片４５０の一部が第２表面材５の室内側見付面５０の下側部位の内面に当接している。
【００５１】
第１表面材７は、主として、第２扉体３の室内側部位を覆う部材であり、第２扉体３の室内側面部３０を形成する室内側見付面７０を有している。図１１には、第１表面材７の戸先側の詳細が示してあり、室内側見付面７０の戸先側端縁から、室内側見付面７０に対して垂直状に室外側に向かって延び、第２扉体３の戸先側端面３２を形成する戸先側見込片７１と、戸先側見込片７１の端部から戸先側見込片７１に対して垂直状（室内側見付面７０に対向して平行状）に戸尻側に延びる戸先側折り返し片７２と、を備えている。
【００５２】
第１表面材７の室内側見付面７０の戸尻側、上側、下側には、室内側見付面７０に対して垂直状に延びる戸尻側見込片、上片、下片がそれぞれ形成されているが、第１表面材４と類似の構成であり、また、このような構成は当業者に良く知られているので詳細な説明は省略する。
【００５３】
第２表面材８は、主として、第２扉体３の室外側部位を覆う部材であり、第２扉体３の室外側面部３１を形成する室外側見付面８０を有している。図１１には、第２表面材８の戸先側の詳細が示してあり、室外側見付面８０の戸先側端縁から室外側見付面８０に対して垂直状に室内側に向かって延びる戸先側見込片８１と、戸先側見込片８１の端部から戸先側見込片８１に対して垂直状（室外側見付面８０に対して平行状）に戸尻側に延びる戸先側折り返し片８２と、を備えている。
【００５４】
第２表面材８の室外側見付面８０の戸尻側、上側、下側には、室外側見付面８０に対して垂直状に延びる戸尻側見込片、上片、下片がそれぞれ形成されているが、第２表面材５と類似の構成であり、また、このような構成は当業者に良く知られているので詳細な説明は省略する。
【００５５】
第２扉体３の戸先側部位に内蔵された縦フレーム９´は、第２扉体３の高さ方向に延びる長尺部材であって、断面視において、第２扉体３の戸先側端面３２から離間して第２扉体３の全厚に亘って延びる第１見込片９０´と、第１見込片９０´の室内側端部から戸先側端面３２に向かって戸先側に延びる室内側見付片９１´と、室内側見付片９１´の戸先側端部から室外側に向かって延びる第２見込片９２´と、第１見込片９０´の室外側端部から戸先側に向かって延びる室外側見付片９３´と、からなる。
【００５６】
第１表面材７及び第２表面材８を内部充填材Ｃ、縦フレーム９´に接着して第２扉体３を組み立てた状態では、第２扉体３の戸先側部位において、第１表面材７の戸先側折り返し片７２の外側には、第２表面材８の戸先側折り返し片８２の先端側部位（戸尻側部位）が当接している。縦フレーム９´の室外側見付片９３´の先端側は、室外側見付面８０の戸先側部位、戸先側見込片８１、戸先側折り返し片８２、で形成された溝内を延びており、室外側見付面８０の戸先側部位、戸先側見込片８１、戸先側折り返し片８２、室外側見付片９３´から突片３２０が形成されている。
【００５７】
図１１に示すように、閉鎖姿勢にある両開き戸の召合せ部において、第１扉体２の戸先側端面２２（第１表面材４の戸先側見込片４１）と第２扉体３の戸先側端面３２（第１表面材７の戸先側見込片７１）は隙間を存して離間対向しており、召合せ部の室外側部位において、突片３２０によって、前記隙間が塞がれており、突片３２０の先端側は、凹み部２２０を形成する室外側折り返し見付片４２に離間（近接）対向している。第１扉体２の第２表面材５の戸先側見込片５１と第２扉体３の第２表面材８の戸先側見込片８１は隙間を存して離間対向している。
【００５８】
図１３に示すように、第１表面材４の戸先側見込片４１、縦フレーム６´の第１見込片６０´の所定部位には、ストライク１７を設けるための切欠き部４１１が形成されており、切欠き部４１１の上下端部には、ストライク１７を取り付けるための取付片１５´が設けてある。取付片１５´は、縦フレーム６´の第１見込片６０´の背面に固定されており、切り欠き部４１１の上下の取付片１５´に対して、ストライク１７の前面プレート１７０が螺子を介して取り付けられる。図示の態様では、取付片１５´の室外側側面は、縦フレーム６´の室外側見付片６２´に当接ないし近接している。
【００５９】
図１４に示すように、第１表面材４の戸先側見込片４１、縦フレーム６´の第１見込片６０´の上下の所定部位には、フランス落とし１８を設けるための切欠き部４１２が形成されており、切欠き部４１２の上下端部には、フランス落とし１８を取り付けるための取付片１５´´が設けてある。取付片１５´´は、縦フレーム６´の第１見込片６０´の背面に固定されており、切り欠き部４１２の上下の取付片１５´´に対して、フランス落とし１８の前面プレート１８０が螺子を介して取り付けられる。図示の態様では、フランス落とし１８の本体の室外側側面は、縦フレーム６´の室外側見付片６２´に当接ないし近接している。
【００６０】
図１１に示すように、通常時において、室外側折り返し見付片４２の先端は、縦フレーム６´の室外側見付片６２´の室外側の面に近接している。この状態において、室外側折り返し見付片４２が押された場合には、先端側の折り曲げによって補強された室外側折り返し見付片４２は従来に比べて強度が増しており、室外側折り返し見付片４２の変形が抑制されている。さらに室外側折り返し見付片４２が押されて室内側に僅かに変形した時には、室外側折り返し見付片４２の先端側に一体形成された傾斜片４２０の先端が縦フレーム６´の室外側見付片６２´の室外側の面に当接することで、室外側折り返し見付片４２の変形が規制される。
【００６１】
第２実施形態では、第１扉体２の高さ方向に延びる縦フレーム６´の室外側見付片６２´に傾斜片４２０の先端が近接する構成となっているが、このような位置に縦フレーム６´を設けられない場合には、ストライク１７の取付片１５´あるいはストライク１７の部分、あるいは／および、フランス落とし１８の取付片１５´´あるいはフランス落とし１８の部分に傾斜片４２０の先端を近接させるように配置し、室外側折り返し見付片４２が所定以上の力で押された時に、傾斜片４２０の先端が、ストライク１７の取付片１５´あるいはストライク１７の部分、あるいは／および、フランス落とし１８の取付片１５´´あるいはフランス落とし１８の部分に当接することで、室外側折り返し見付片４２の変形を規制するようにしてもよい。
【符号の説明】
【００６２】
２  第１扉体
２０  室内側面部（第１面部）
２１  室外側面部（第２面部）
２２  戸先側端面
２２０  凹み部
３  第２扉体
３０  室内側面部（第１面部）
３１  室外側面部（第２面部）
３２  戸先側端面
３２０  突片
４  第１表面材
４０  室内側見付面（第１面側見付面）
４１  戸先側見込片
４２  室外側折り返し見付片（第２面側折り返し見付片）
４２０  傾斜片（折り曲げ片）
５  第２表面材
５０  室外側見付面
５１  戸先側見込片
５２  戸先側折り返し片
６  縦フレーム
６´  縦フレーム
６２´  室外側見付片（被当接要素）
１４  錠前
１５  錠前の取付片（被当接要素、取付要素）
【図１】
2018017053.tif 000003
【図２】
2018017053.tif 000004
【図３】
2018017053.tif 000005
【図４】
2018017053.tif 000006
【図５】
2018017053.tif 000007
【図６】
2018017053.tif 000008
【図７】
2018017053.tif 000009
【図８】
2018017053.tif 000010
【図９】
2018017053.tif 000011
【図１０】
2018017053.tif 000012
【図１１】
2018017053.tif 000013
【図１２】
2018017053.tif 000014
【図１３】
2018017053.tif 000015
【図１４】
2018017053.tif 000016